(57)【特許請求の範囲】
【請求項１】
焼成によって一体的に形成されているとともに、下層と介在層と上層とを含んでおり、前記介在層が、前記下層の上に設けられているとともに、上下方向に設けられた貫通孔を有しており、前記上層が、前記介在層の上に設けられており、前記貫通孔が、前記下層および前記上層によって塞がれているセラミック構造体と、
前記下層の上面における前記貫通孔に対応する領域に設けられているとともに、焼成によって前記セラミック構造体と一体的に形成された電流ヒューズ素子用パターンと、
前記上層の上面に設けられた温度ヒューズ素子と、
を備えたヒューズ装置。
【請求項２】
前記セラミック構造体が、前記下層の内部に設けられているとともに前記電流ヒューズ素子用パターンの直下に位置している伝熱抑制手段を有していることを特徴とする請求項１記載のヒューズ装置。
【請求項３】
下部セラミック構造体と、
前記下部セラミック構造体との間に中空部を挟むように、前記下部セラミック構造体に接合された上部セラミック構造体と、
前記中空部に設けられた電流ヒューズ素子と、
前記上部セラミック構造体の上面に設けられた温度ヒューズ素子と、
を備えたヒューズ装置。
【請求項４】
前記下部セラミック構造体が、前記電流ヒューズ素子の直下に位置している伝熱抑制手段を有していることを特徴とする請求項３記載のヒューズ装置。
【発明の詳細な説明】
【技術分野】
【０００１】
本発明は、所定条件に達した場合に回路を遮断するために用いられるヒューズ装置に関するものである。
【背景技術】
【０００２】
ヒューズ装置としては、例えば、電流ヒューズ装置および温度ヒューズ装置があり、これら電流ヒューズ装置および温度ヒューズ装置は、各々、実装基板に接合されている。
【先行技術文献】
【特許文献】
【０００３】
【特許文献１】特開２００１−１５０００号公報
【発明の概要】
【発明が解決しようとする課題】
【０００４】
例えば、携帯型機器などにおいては、電流ヒューズ装置および温度ヒューズ装置を含むヒューズユニットをさらに小型化させることが求められている。すなわち、近年の機器開発においては、電流ヒューズ機能および温度ヒューズ機能を一体的に有するとともに、小型化を図ることが求められている。
【課題を解決するための手段】
【０００５】
本発明の一つの態様によれば、ヒューズ装置は、セラミック構造体と、電流ヒューズ素子用パターンと、温度ヒューズ素子とを含んでいる。セラミック構造体は、焼成によって一体的に形成されているとともに、下層と介在層と上層とを含んでいる。介在層は、下層の上に設けられているとともに、上下方向に設けられた貫通孔を有している。上層は、介在層の上に設けられている。貫通孔が、下層および上層によって塞がれている。電流ヒューズ素子用パターンは、下層の上面における貫通孔に対応する領域に設けられているとともに、焼成によってセラミック構造体と一体的に形成されている。温度ヒューズ素子は、上層の上面に設けられている。
【０００６】
本発明の他の態様によれば、ヒューズ装置は、下部セラミック構造体と、上部セラミック構造体と、電流ヒューズ素子と、温度ヒューズ素子とを含んでいる。上部セラミック構造体は、下部セラミック構造体との間に中空部を挟むように、下部セラミック構造体に接合されている。電流ヒューズ素子は、中空部に設けられている。温度ヒューズ素子は、上部セラミック構造体の上面に設けられている。
【発明の効果】
【０００７】
本発明の一つの態様によれば、ヒューズ装置は、焼成によってセラミック構造体と一体的に形成された電流ヒューズ素子用パターンと、セラミック構造体の上面に設けられた温度ヒューズ素子とを含んでいることにより、電流ヒューズ機能および温度ヒューズ機能を一体的に有するとともに、小型化を図ることができる。
【０００８】
本発明の他の態様によれば、ヒューズ装置は、中空部に設けられた電流ヒューズ素子と、セラミック構造体の上面に設けられた温度ヒューズ素子とを含んでいることにより、電流ヒューズ機能および温度ヒューズ機能を一体的に有するとともに、小型化を図ることができる。
【図面の簡単な説明】
【０００９】
【図１】本発明の第１の実施形態におけるヒューズ装置の分解斜視図を示している。
【図２】図１に示されたヒューズ装置の縦断面図を示している。
【図３】第１の実施形態のヒューズ装置における温度ヒューズ素子３の他の実装構造を示している。
【図４】ヒューズ装置の上面における構造および下面における構造を示している。
【図５】図４に示されたヒューズ装置の回路図を示している。
【図６】本発明の第２の実施形態におけるヒューズ装置の分解斜視図を示している。
【図７】図６に示されたヒューズ装置の縦断面図を示している。
【図８】本発明の第３の実施形態におけるヒューズ装置の分解斜視図を示している。
【図９】図８に示されたヒューズ装置の縦断面図を示している。
【図１０】第１の実施形態のヒューズ装置におけるセラミック構造体６の他の構造例を示している。
【図１１】第１の実施形態のヒューズ装置におけるセラミック構造体６の他の構造例を示している。
【発明を実施するための形態】
【００１０】
以下、本発明のいくつかの例示的な実施形態について図面を参照して説明する。
【００１１】
（第１の実施形態）
図１および図２を参照して、本発明の第１の実施形態におけるヒューズ装置について説明する。ヒューズ装置は、セラミック構造体１と、電流ヒューズ素子用パターン２と、温度ヒューズ素子３と、フラックス部材５とを含んでいる。図１において、フラックス部材５は、温度ヒューズ素子３の実装構造を示すことを目的として、省略されている。電流ヒューズ素子用パターン２および温度ヒューズ素子３は、セラミック構造体１に設けられている。フラックス部材５は、セラミック構造体１の上面に設けられている。図１において、ヒューズ装置は、仮想のｘｙｚ空間におけるｘｙ平面に実装されている。本実施形態におけるヒューズ装置は、表面実装型の装置である。図１において、上方向とは、仮想のｚ軸の正方向のことをいう。本実施形態のヒューズ装置は、例えば、充電可能な電池システムにおいて用いられる。
【００１２】
セラミック構造体１は、下層１１と、下層１１の上に設けられた介在層１２と、介在層１２の上に設けられた上層１３とを含んでいるとともに、焼成によって一体的に形成されている。
【００１３】
介在層１２は、上下方向に設けられた貫通孔１２１を有している。図１において、上下方向とは、仮想のｚ軸方向のことをいう。貫通孔１２１は、下層１１および上層１３によって塞がれている。介在層１２の貫通孔１２１は、セラミック構造体１の中空部１４に相当する。中空部１４は、減圧空間であることが好ましい。
【００１４】
電流ヒューズ素子用パターン２は、下層１１の上面における貫通孔１２１に対応する領域１１１に設けられているとともに、焼成によってセラミック構造体と一体的に形成されている。電流ヒューズ素子用パターン２は、メタライズパターンである。図１において、貫通孔１２１に対応する領域１１１とは、二点鎖線によって囲まれた領域のことであり、中空部１４に露出されている領域のことである。電流ヒューズ素子用パターン２は、例えば、タングステン（Ｗ）またはモリブデン（Ｍｏ）を含んでいる。
【００１５】
温度ヒューズ素子３は、上層１３の上面に設けられている。“温度ヒューズ素子”とは、装置等の異常発熱により与えられる熱によって当該温度ヒューズ素子の温度が設定温度に達した場合に溶断することにより装置等の異常な温度上昇を防止し、異常時においても安全を確保するための素子のことをいう。温度ヒューズ素子３の実装構造の他の例として
は、図３に示されているものがある。セラミック構造体１の上層１３は、凹部１３２を含む上面を有しており、温度ヒューズ素子３が、凹部１３２の内部に設けられている。図３において、フラックス部材５は、温度ヒューズ素子３の実装構造を示すことを目的に、省略されている。
【００１６】
図４の上段に示されているように、ヒューズ装置は、セラミック構造体１の上面に設けられた端子３１および３２を有している。端子３１および３２は、焼成によってセラミック構造体１と一体的に形成されている。図４において、フラックス部材５は、温度ヒューズ素子３を示すことを目的に、透視した状態で示されている。
【００１７】
図４の下段に示されているように、ヒューズ装置は、セラミック構造体１の下面に設けられた端子２１および２２を有している。端子２１および２２は、焼成によってセラミック構造体１と一体的に形成されている。
【００１８】
図５に示されているように、端子２１は、電流ヒューズ素子用パターン２に電気的に接続されており、端子３２は、温度ヒューズ素子３に電気的に接続されている。電流ヒューズ素子用パターン２および温度ヒューズ素子３は、直列接続されている。
【００１９】
本実施形態のヒューズ装置において、電流ヒューズ素子用パターン２がセラミック構造体１と一体的に形成されているとともに温度ヒューズ素子がセラミック構造体１の上面に設けられていることにより、本実施形態におけるヒューズ装置は、電流ヒューズ機能と温度ヒューズ機能とを一体的に有することができるとともに、小型化を図ることができる。
【００２０】
本実施形態のヒューズ装置において、電流ヒューズ素子用パターン２が、セラミック構造体１の下層１１の上面における貫通孔１２１に対応する領域１１１に設けられていることにより、電流ヒューズ素子用パターン２がセラミック構造体１の中空部１４に設けられることになり、本実施形態におけるヒューズ装置は、電流ヒューズ素子用パターン２において発生されるジュール熱の損失に関して低減されている。従って、本実施形態におけるヒューズ装置は、過電流状態における特性に関して向上されている。
【００２１】
（第２の実施形態）
図６および図７を参照して、本発明の第２の実施形態におけるヒューズ装置について説明する。本実施形態におけるヒューズ装置において、図１および図２に示された第１の実施形態におけるヒューズ装置と異なる構成は、セラミック構造体１の下層１１の構造である。その他の構成は、第１の実施形態におけるヒューズ装置と同様である。図６において、フラックス部材５は、温度ヒューズ素子３の実装構造を示すことを目的として、省略されている。
【００２２】
セラミック構造体１の下層１１は、伝熱抑制手段を有している。本実施形態において、伝熱抑制手段は、下層１１の内部に設けられているとともに電流ヒューズ素子用パターン２の直下に位置している空洞部１１２である。空洞部１１２は、減圧状態であることが好ましい。
【００２３】
本実施形態のヒューズ装置において、セラミック構造体１の下層１１は、伝熱抑制手段を有していることにより、本実施形態におけるヒューズ装置は、電流ヒューズ素子用パターン２において発生されるジュール熱の損失に関して低減されている。従って、本実施形態におけるヒューズ装置は、過電流状態における特性に関して向上されている。
【００２４】
（第３の実施形態）
図８および図９を参照して、本発明の第３の実施形態におけるヒューズ装置について説
明する。ヒューズ装置は、セラミック構造体６と、電流ヒューズ素子７と、温度ヒューズ素子３と、フラックス部材５とを含んでいる。図８において、フラックス部材５は、温度ヒューズ素子３の実装構造を示すことを目的として、省略されている。図８において、ヒューズ装置は、仮想のｘｙｚ空間におけるｘｙ平面に実装されている。本実施形態におけるヒューズ装置は、表面実装型の装置である。図８において、上方向とは、仮想のｚ軸の正方向のことをいう。
【００２５】
セラミック構造体６は、下部セラミック構造体６１と、下部セラミック構造体６１との間に中空部６４を挟むように、下部セラミック構造体６１に接合された上部セラミック構造体６２とを含んでいる。下部セラミック構造体６１は、第１の凹部６１１を含む上面を有している。上部セラミック構造体６２は、第２の凹部６２１を含む下面を有している。第２の凹部６２１は、第１の凹部６１１に対応するように設けられている。第１の凹部６１１と第２の凹部６２１とによって、セラミック構造体６の中空部６４が構成されている。
【００２６】
電流ヒューズ素子７は、下部セラミック構造体６１と上部セラミック構造体６２とに挟まれているとともに、セラミック構造体６の中空部６４に設けられている。電流ヒューズ素子７は、セラミック構造体６の中空部６４に架橋されていることが好ましい。電流ヒューズ素子７は、例えば、金属リードまたは金属ワイヤーである。
【００２７】
温度ヒューズ素子３は、上部セラミック構造体６２の上面に設けられている。温度ヒューズ素子３は、上部セラミック構造体６２の上面に設けられた凹部に配置されていてもよい。
【００２８】
本実施形態のヒューズ装置において、温度ヒューズ素子３がセラミック構造体１の上面に設けられているとともに、電流ヒューズ素子７が、下部セラミック構造体６１と上部セラミック構造体６２とに挟まれた中空部６４に設けられていることにより、本実施形態におけるヒューズ装置は、電流ヒューズ機能と温度ヒューズ機能とを一体的に有することができるとともに、小型化を図ることができる。
【００２９】
本実施形態のヒューズ装置において、電流ヒューズ素子７がセラミック構造体６の中空部６４に設けられていることにより、本実施形態におけるヒューズ装置は、電流ヒューズ素子７において発生されるジュール熱の損失に関して低減されている。従って、本実施形態におけるヒューズ装置は、過電流状態における特性に関して向上されている。
【００３０】
図１０を参照して、本実施形態におけるセラミック構造体６の他の構造例について説明する。下部セラミック構造体６１は、凹部６１２を含む上面を有しており、凹部６１２は、二段構造となっている。電流ヒューズ素子７は、凹部６１２において架橋されていることが好ましい。
【００３１】
図１１を参照して、本実施形態におけるセラミック構造体６の他の構造例について説明する。上部セラミック構造体６２は、凹部６２２を含む下面を有しており、凹部６２２は、二段構造となっている。電流ヒューズ素子７は、凹部６２２において架橋されていることが好ましい。
【符号の説明】
【００３２】
１  セラミック構造体
２  電流ヒューズ素子用パターン
３  温度ヒューズ素子
５  フラックス部材
【図１】
0005495895.tif 000002
【図２】
0005495895.tif 000003
【図３】
0005495895.tif 000004
【図４】
0005495895.tif 000005
【図５】
0005495895.tif 000006
【図６】
0005495895.tif 000007
【図７】
0005495895.tif 000008
【図８】
0005495895.tif 000009
【図９】
0005495895.tif 000010
【図１０】
0005495895.tif 000011
【図１１】
0005495895.tif 000012